(57)【要約】【課題】異音の発生を防止し、かつ材料コストの上昇及び構造の複雑化を防止することの両立を図る。【解決手段】照明用光源１１が実装される回路基板７と、この回路基板７上に固定され、液晶パネル３をこの液晶パネル３に光源１１からの光が照射される位置に保持するライトボックス５と、を備え、ライトボックス５は、光源１１を囲む中空状をなすボックス本体１３と、液晶パネル３の裏面に対向するように設けられ、光源１１からの光を拡散して液晶パネル３に導く光拡散部１５とを有し、光拡散部１５の材料に光を拡散しながら透過させる機能を有する材料を用い、ボックス本体１３の材料に遮光性材料を用いる二色成形により、これらボックス本体１３及び光拡散部１５が一体に成形される。【選択図】図３
2013225048.tif 000002
【特許請求の範囲】
【請求項１】
液晶パネルと、この液晶パネルに裏側から光を照射する照明用光源とを備えた液晶表示装置であって、
前記照明用光源が実装される回路基板と、
この回路基板上に固定され、前記液晶パネルをこの液晶パネルに前記照明用光源からの光が照射される位置に保持するライトボックスと、を備え、
前記ライトボックスは、前記照明用光源を囲む中空状をなすボックス本体と、前記液晶パネルの裏面に対向するように設けられ、前記照明用光源からの光を拡散して前記液晶パネルに導く光拡散部とを有し、前記光拡散部の材料に光を拡散しながら透過させる機能を有する材料を用い、前記ボックス本体の材料に遮光性材料を用いる二色成形により、これらボックス本体及び光拡散部が一体に成形されていることを特徴とする液晶表示装置。
【請求項２】
請求項１記載の液晶表示装置において、
前記ボックス本体の材料に、光反射用の材料が用いられることを特徴とする液晶表示装置。
【請求項３】
液晶パネルと、この液晶パネルに裏側から光を照射する照明用光源と、この照明用光源が実装される回路基板とを備えた液晶表示装置に設けられ、前記回路基板上に固定された状態で前記液晶パネルをこの液晶パネルに前記照明用光源からの光が照射される位置に保持するライトボックスであって、
前記照明用光源を囲む中空状をなすボックス本体と、
前記液晶パネルの裏面に対向するように設けられ、前記照明用光源からの光を拡散して前記液晶パネルに導く光拡散部とを有し、
前記光拡散部の材料に光を拡散しながら透過させる機能を有する材料を用い、前記ボックス本体の材料に遮光性材料を用いる二色成形により、これらボックス本体及び光拡散部が一体に成形されていることを特徴とする液晶表示装置のライトボックス。
【発明の詳細な説明】
【技術分野】
【０００１】
本発明は、自動車に搭載されるオーディオ機器やエアコン用操作機器等に設けられて各種情報を表示するための液晶表示装置およびこの液晶表示装置に設けられるライトボックスに関するものである。
【背景技術】
【０００２】
液晶パネルの中には、その裏側から照明されることを必要とするものがある。この種の液晶パネルを用いて表示を行う場合には、前記液晶パネルの裏側にバックライト照明用の光源を配置する必要がある。
【０００３】
従来、前記のような液晶パネル及び照明用光源を備えた液晶表示装置として、特許文献１に記載されるものが知られている。この液晶表示装置は、前記液晶パネル及び照明用光源に加え、当該照明用光源が実装される回路基板と、この回路基板上に固定されるライトボックスと、このライトボックスに取付けられるバックライト照明用の導光レンズとを備える。前記ライトボックスは、前記照明用光源を囲む形状を有し、前記回路基板上で前記液晶パネルを保持するとともに、前記照明用光源が発する照明光を前記液晶パネルに導く機能を有する。前記導光レンズは、前記液晶パネルの裏側に配置され、前記照明光を前記液晶パネルの表示面と平行な方向に拡散しながら当該液晶パネルに導く光拡散板として機能する。
【０００４】
ところで、上述した液晶表示装置では、ライトボックスと光拡散板（導光レンズ）とが別体に設けられているので、液晶表示装置が衝撃を受けて振動することによりライトボックスと光拡散板との間においてガタツキによる異音が発生するという難点があった。
【０００５】
そこで、上述したように液晶表示装置が振動しても、異音の発生を抑制することが可能な図４及び図５に示すものが提案されている（例えば、特許文献２参照）。図４はその液晶表示装置の分解斜視図であり、図５はその液晶表示装置の縦断面図である。
【０００６】
この液晶表示装置１００は、液晶パネル１０１、照明用光源１０２、回路基板１０３およびライトボックス１０４を備え、そのライトボックス１０４が、角筒状に形成されたボックス本体１０５と、前記角筒状をしたボックス本体１０５の一端側の開口を塞ぐように設けられ、液晶パネル１０１の裏面に接触するように設けられる光拡散部１０６とを有し、これらボックス本体１０５及び光拡散部１０６が光を拡散しながら透過させる機能を有する材料により一体に成形された構成となっている。
【先行技術文献】
【特許文献】
【０００７】
【特許文献１】特開２００６−３０６５２号公報
【特許文献２】特開２００８−３０９９０７号公報
【発明の概要】
【発明が解決しようとする課題】
【０００８】
ところで、特許文献２の液晶表示装置では、ライトボックスの全体が透光性の樹脂材料で作製されているために、光拡散部では当然のことながらボックス本体からも光が漏れるので、光拡散部を除いてボックス本体の外側を取り囲むように遮光部を設けることが要求される。
【０００９】
そのため、特許文献２の液晶表示装置では、液晶パネルの前側に配設される本体パネルの後面に、液晶パネルおよびボックス本体の外側を囲むように後方へ突出した角筒状の遮光壁を設けるようにしている。
【００１０】
したがって、特許文献２の液晶表示装置による場合には、本体パネルに遮光壁のような余分な構造部を設ける必要があって材料コストが上昇し、また構造が複雑になるという難点がある。これに対し、前述した特許文献１の液晶表示装置のようにボックス本体と光拡散部とを別部材とする場合には、材料コストの上昇や構造の複雑化を防止できるものの、前述したように液晶表示装置が振動することにより異音が発生することになる。よって、異音の発生を防止し、かつ材料コストの上昇及び構造の複雑化を防止することの両立を図ることが困難であった。
【００１１】
本発明は、このような事情に鑑み、異音の発生を防止し、かつ材料コストの上昇及び構造の複雑化を防止することの両立を図ることができる液晶表示装置およびこの液晶表示装置に設けられるライトボックスを提供することを目的とする。
【課題を解決するための手段】
【００１２】
本発明は、液晶パネルと、この液晶パネルに裏側から光を照射する照明用光源とを備えた液晶表示装置であって、前記照明用光源が実装される回路基板と、この回路基板上に固定され、前記液晶パネルをこの液晶パネルに前記照明用光源からの光が照射される位置に保持するライトボックスと、を備え、前記ライトボックスは、前記照明用光源を囲む中空状をなすボックス本体と、前記液晶パネルの裏面に対向するように設けられ、前記照明用光源からの光を拡散して前記液晶パネルに導く光拡散部とを有し、前記光拡散部の材料に光を拡散しながら透過させる機能を有する材料を用い、前記ボックス本体の材料に遮光性材料を用いる二色成形により、これらボックス本体及び光拡散部が一体に成形されていることを特徴とする。
【００１３】
また、本発明は、液晶パネルと、この液晶パネルに裏側から光を照射する照明用光源と、この照明用光源が実装される回路基板とを備えた液晶表示装置に設けられ、前記回路基板上に固定された状態で前記液晶パネルをこの液晶パネルに前記照明用光源からの光が照射される位置に保持するライトボックスであって、前記照明用光源を囲む中空状をなすボックス本体と、前記液晶パネルの裏面に対向するように設けられ、前記照明用光源からの光を拡散して前記液晶パネルに導く光拡散部とを有し、前記光拡散部の材料に光を拡散しながら透過させる機能を有する材料を用い、前記ボックス本体の材料に遮光性材料を用いる二色成形により、これらボックス本体及び光拡散部が一体に成形されていることを特徴とする。
【００１４】
このようなライトボックスでは、光拡散部の材料に光を拡散しながら透過させる機能を有する材料を用い、ボックス本体の材料に遮光性材料を用いるので、ボックス本体からの光漏れを防止する状態で光拡散部からの光の透過が可能になり、ボックス本体の外側に、ボックス本体からの光漏れを防止する構造部を別途設けることを必要としない。このため、液晶表示装置としては、材料コストの上昇を抑制することができ、また構造が複雑になるのを防止することができる。また、本発明では、ライトボックスが二色成形により一体に成形されているので、ボックス本体と光拡散板との間でガタツキが起こることがなく、液晶表示装置が衝撃を受けて振動しても異音の発生を防止することができる。よって、異音の発生を防止し、かつ材料コストの上昇及び構造の複雑化を防止することの両立を図ることが可能になる。加えて、ライトボックスが二色成形により一体に成形されているので、ボックス本体と光拡散部とを別部材に作製する必要がなく、これによりライトボックスにおいて部品点数の増加を抑制することも可能になる。
【００１５】
また、このような液晶表示装置またはライトボックスの構成において、ボックス本体の材料に、光反射用の材料を用いてもよい。このようにした場合には、光拡散部へ到達する光の強度低下を抑制することができ、光ムラの軽減を図ることが可能になる。
【発明の効果】
【００１６】
以上のように、本発明では、ライトボックスがボックス本体及び光拡散部を有し、これらのうち光拡散部の材料に光を拡散しながら透過させる機能を有する材料を用い、ボックス本体の材料に遮光性材料を用いる二色成形により一体に成形されているので、ボックス本体からの光漏れを防止する状態で光拡散部からの光の透過が可能になり、ボックス本体の外側に、ボックス本体からの光漏れを防止する構造部を別途設けることを必要としない。このため、液晶表示装置としては、材料コストの上昇を抑制することができ、また構造が複雑になるのを防止することができる。また、本発明では、ライトボックスが二色成形により一体に成形されているので、ボックス本体と光拡散板との間でガタツキが起こることがなく、液晶表示装置が衝撃を受けて振動しても異音の発生を防止できる。よって、異音の発生を防止し、かつ材料コストの上昇及び構造の複雑化を防止することの両立を図ることが可能になる。
【図面の簡単な説明】
【００１７】
【図１】本発明の一実施形態に係る液晶表示装置の構成を示す外観斜視図である。
【図２】前記液晶表示装置の分解斜視図である。
【図３】前記液晶表示装置の縦断面図である。
【図４】特許文献１に係る液晶表示装置の分解斜視図である。
【図５】特許文献１に係る液晶表示装置の縦断面図である。
【発明を実施するための形態】
【００１８】
本発明の好ましい実施の形態を、図面を参照しながら説明する。
【００１９】
図１は、この実施の形態に係る液晶表示装置の構成を示す外観斜視図であり、図２はその液晶表示装置の分解斜視図、図３は同液晶表示装置の縦断面図である。
【００２０】
この液晶表示装置１は、図示しない前側の本体パネルと同じく図示しない後側のリアカバーとの間に、液晶パネル３と、ライトボックス５と、回路基板７とを備える。
【００２１】
前記リアカバーは、前記本体パネルとの間に前記回路基板７を挟み込んだ状態で前記本体パネルの裏面に装着され、そのリアカバーと本体パネルとの間の内部空洞に、前記液晶パネル３、ライトボックス５および回路基板７が収納される。
【００２２】
前記液晶パネル３は、前記ライトボックス５を介して前記回路基板７上に支持されるとともに、当該回路基板７に電気的に接続される複数本の端子９を有する。
【００２３】
前記回路基板７には、前記液晶パネル３を照明するための光源である複数のＬＥＤ１１が実装されるとともに、前記ライトボックス５が固定される。
【００２４】
上記ライトボックス５は、前記ＬＥＤ１１から発せられる照明光が前記液晶パネル３に照射される位置に同パネル３を保持するもので、ボックス本体１３と、光拡散部１５と、複数（図示例では４つ）のパネル保持部１７とを有し、この実施形態では、ボックス本体１３及び複数のパネル保持部１７に遮光性樹脂材料を用い、光拡散部１５に透光性樹脂材料を用いた二色成形により形成されている。なお、図２及び図３中の破線は、ボックス本体１３と光拡散部１５との境界を表す。上記遮光性樹脂材料としては、遮光性を有するものであればよく、例えば黒色或いは白色の顔料を含んだポリカーボネートが用いられる。また、透光性樹脂材料としては、前記ＬＥＤ１１の発する照明光を拡散しながら透過させる機能をもつもの、例えば、比較的透光率の高いＡＢＳ樹脂やポリカーボネートが選定される。
【００２５】
上記回路基板７には、係止用貫通穴２１と位置決め孔２２と端子接続孔２５とが設けられている。係止用貫通穴２１は、後述する被係止爪１９を係止させるもので、位置決め孔２２は後述する位置決めピン１８が挿入されるものであり、端子接続孔２５は端子９を挿通させるとともに端子９を回路基板７上に形成されたプリント配線（図示せず）と電気的に接続させるものである。
【００２６】
前記ボックス本体１３は、前記照明用光源を囲む中空状（図例では角筒状）をなし、前記回路基板７上に固定される。具体的には、当該ボックス本体１３の後端面から後方に図１及び図２に示すような被係止爪１９が延び、この被係止爪１９が前記回路基板７側に設けられた係止用貫通穴２１に係合される。なお、被係止爪１９及び貫通穴２１は、同じ数で複数、例えば４つずつ設けられている。
【００２７】
このボックス本体１３は、遮光性樹脂材料からなり、前記各ＬＥＤ１１から前記光拡散部１５に至る光路を内部に閉じ込める。また、ボックス本体１３の外周部には、端子９を挿通させるための貫通孔１４が、端子９の本数と同じ数で並設されている。更に、ボックス本体１３の背面には、後側へ突出した位置決めピン１８が複数、例えば２本設けられている（図２参照）。これら位置決めピン１８は、それぞれ、位置決めピン１８と同数設けられた位置決め孔２２に挿入することで、ボックス本体１３の回路基板７に対する配設位置が決められる。
【００２８】
前記光拡散部１５は、平板状をなし、前記液晶パネル３の裏側に配置される。この光拡散部１５の表側面は、前記液晶パネル３の裏面に対向しかつこの裏面と接触可能な接触面２３である。この実施の形態では、前記接触面２３に、光拡散を促進するための微小な凹凸が形成されている。この凹凸は、前記ライトボックス５を成型するための金型に付与されればよく、当該金型の凹凸は例えばシボ加工により形成することが可能である。
【００２９】
前記パネル保持部１７は、それぞれ前記ボックス本体１３の前側四隅に設けられている。具体的には、ボックス本体１３の前側の外周縁から前側、つまり本体パネル側に突出し、前記液晶パネル３の四隅を外側から囲むように設けられている。これらパネル保持部２６により囲まれた空間内には前記液晶パネル３が嵌め込まれ、前記接触面２３と接触する位置で前記パネル保持部１７は液晶パネル３を外側から保持する。
【００３０】
このように構成された液晶表示装置１では、ライトボックス５がボックス本体１３及び光拡散部１５を有し、これらのうち光拡散部１５の材料に光を拡散しながら透過させる機能を有する材料を用い、ボックス本体１３の材料に遮光性材料を用いる二色成形により一体に成形されているので、ボックス本体１３からの光漏れを防止する状態で光拡散部１５からの光の透過が可能になり、ボックス本体１３の外側に、ボックス本体１３からの光漏れを防止する構造部を別途設けることを必要としない。このため、液晶表示装置１としては、材料コストの上昇を抑制することができ、また構造が複雑になるのを防止することができる。
【００３１】
加えて、この液晶表示装置１では、ライトボックス５が二色成形により一体に成形されているので、ボックス本体１３と光拡散部１５との間でガタツキが起こることがなく、液晶表示装置１が衝撃を受けて振動しても異音の発生を防止できる。よって、異音の発生を防止し、かつ材料コストの上昇及び構造の複雑化を防止することの両立を図ることが可能になる。
【００３２】
更に、本実施形態では、前記ライトボックス５のボックス本体１３と、光拡散部１５と、パネル保持部１７とが一体に成形されているので、当該ライトボックス５についての部品点数が削減されるのに加え、当該光拡散部１５と、前記パネル保持部１７に保持される液晶パネル３との相対位置を高精度で設定することが可能である。このことは、当該光拡散部１５の接触面２３と当該液晶パネル３の裏面とを確実にかつ直接的に接触させることを可能にする。この接触により、前記光拡散部による照明光の均一化が促進され、液晶表示の質が高められる。さらに、前記接触面２３に光拡散のための微小凹凸が形成されていれば、当該微小凹凸と前記接触との相乗効果により前記液晶表示の質がさらに高められる。
【００３３】
なお、上述した実施形態におけるボックス本体１３には、遮光性樹脂材料を用いるようにしているが、そのような遮光性樹脂材料のうちでも光を反射させる機能を有するものを用いることがより好ましい。このようにした場合には、光拡散部へ到達する光の強度低下を抑制することができ、光ムラの軽減を図ることが可能になる。
【００３４】
また、上述した実施形態にあっては、パネル保持部１７の材料に、ボックス本体１３と同じ遮光性樹脂材料を用いているが、本発明はこれに限らない。例えば、パネル保持部１７の材料に光拡散部１５と同じ透光性樹脂材料を用いてもよく、或いはパネル保持部１７を入れ子により設けるようにしてもよい。
【符号の説明】
【００３５】
１  液晶表示装置
３  液晶パネル
５  ライトボックス
７  回路基板
１１  ＬＥＤ（照明用光源）
１３  ボックス本体
１５  光拡散部
【図１】
2013225048.tif 000003
【図２】
2013225048.tif 000004
【図３】
2013225048.tif 000005
【図４】
2013225048.tif 000006
【図５】
2013225048.tif 000007